【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
顧客から電子小切手申請を受信するように適合された、申請受信モジュール（３２０）と、
前記電子小切手申請に基づいて小切手情報パケットを生成するように適合された、小切手生成モジュール（３３０）と、
前記小切手情報パケットを前記顧客に送信するための、情報伝達モジュール（３１２）と、
前記小切手情報パケットを記憶するためのストレージ（３４０）と、
レンダリング小切手情報を含むオンライン支払要求を受信し、前記記憶された小切手情報パケットに対して前記レンダリング小切手情報を検証し、前記オンライン支払要求に従ってマーチャントシステム（３７０）への支払を行うように適合された、小切手処理モジュール（３５０）と、
を備える、オンライン支払システム。
【請求項２】
前記申請受信モジュールが、ユーザ端末の一部である、請求項１に記載のオンライン支払システム。
【請求項３】
前記小切手生成モジュールが、ユーザ端末の一部である、請求項１に記載のオンライン支払システム。
【請求項４】
前記小切手生成モジュールおよび前記小切手処理モジュールが、小切手サーバの一部である、請求項１に記載のオンライン支払システム。
【請求項５】
前記ストレージおよび前記小切手処理モジュールが、小切手サーバの一部である、請求項１に記載のオンライン支払システム。
【請求項６】
前記小切手生成モジュールに接続されたセキュリティモジュールであって、前記小切手情報パケットが前記顧客に送信される前に、前記小切手情報パケットを暗号化するように適合された、セキュリティモジュールをさらに備える、請求項１に記載のオンライン支払システム。
【請求項７】
前記小切手情報パケットが、電子小切手番号と、対応する小切手パスワードとを含む、請求項１に記載のオンライン支払システム。
【請求項８】
前記小切手情報パケットを暗号化するためのセキュリティモジュールをさらに備えた、請求項１に記載のオンライン支払システム。
【請求項９】
前記申請受信モジュールおよび前記小切手処理モジュールが、イントラネットを介して接続される、請求項１に記載のオンライン支払システム。
【請求項１０】
前記申請受信モジュールおよび前記小切手処理モジュールが、インターネットを介して接続される、請求項１に記載のオンライン支払システム。
【請求項１１】
前記オンライン支払要求が、前記申請受信モジュールを介して受信される、請求項１に記載のオンライン支払システム。
【請求項１２】
前記オンライン支払要求が、前記マーチャントシステムを介して受信される、請求項１に記載のオンライン支払システム。
【請求項１３】
前記オンライン支払要求が、最初に前記マーチャントシステムを通過せずに、イントラネットまたはインターネットを介して受信される、請求項１に記載のオンライン支払システム。
【請求項１４】
前記顧客のオンライン支払要求を満たすように資金を引き落とすことができる、顧客アカウントをさらに備えた、請求項１に記載のオンライン支払システム。
【請求項１５】
前記顧客アカウントは、顧客入金を使用して補充することができるように適合された、請求項１４に記載のオンライン支払システム。
【請求項１６】
前記顧客からリチャージ要求を受信し、前記リチャージ要求に基づいて注文書を作成し、アカウントリチャージを完了するように前記注文書を受領書取得システムへ送信する、ように適合された、アカウントリチャージモジュールをさらに備えた、請求項１４に記載のオンライン支払システム。
【請求項１７】
受領書取得システムを介して前記顧客アカウントをリチャージするように適合された、アカウントリチャージモジュールと、
前記アカウントリチャージモジュールに接続されたセキュリティモジュールであって、前記顧客によるリチャージ要求を暗号化するように、前記受領書取得システムと相互作用するセキュリティモジュールと、
をさらに備えた、請求項１４に記載のオンライン支払システム。
【請求項１８】
マーチャントシステム（５１０）と、
前記マーチャントシステムに接続された電子小切手システム（５０１）であって、申請受信モジュール（５４１）と、小切手生成モジュール（５４３）と、情報伝達モジュール（５４２）と、インターフェースモジュール（５３１）と、ストレージ（５３２）と、小切手処理モジュール（５３３）と、を含む電子小切手システムと、
を備え、
前記申請受信モジュール（５４１）は、顧客の小切手申請の受信に使用され、
前記小切手生成モジュール（５４３）は、小切手情報を有する電子小切手の生成、および前記小切手情報の前記顧客および前記小切手サーバへの出力に使用され、
前記情報伝達モジュール（５４２）は、前記小切手情報の前記小切手処理モジュールへの送信に使用され、
前記インターフェースモジュール（５３１）は、前記マーチャントシステムを介したオンライン支払要求の受信、および前記マーチャントシステムへの応答結果の返信に使用され、
前記ストレージ（５３２）は、前記小切手生成モジュールによって生成された前記小切手情報の保存に使用され、
前記小切手処理モジュール（５３３）は、前記オンライン支払要求から解析した前記電子小切手番号および前記小切手パスワードの検証、および前記検証した電子小切手を使用した支払の実行による、前記オンライン支払要求の処理に使用される、
オンライン支払システム。
【請求項１９】
前記申請受信モジュールおよび前記小切手生成モジュールが、前記小切手処理モジュールに接続されたユーザ端末の一部である、請求項１８に記載のオンライン支払システム。
【請求項２０】
前記支払インターフェースモジュール、前記ストレージ、および前記小切手処理モジュールは、小切手サーバの一部である、請求項１８に記載のオンライン支払システム。
【請求項２１】
前記支払を行うために資金を引き落とすことができる、顧客アカウントをさらに備えた、請求項１８に記載のオンライン支払システム。
【請求項２２】
前記小切手処理モジュールが、前記マーチャントシステムへの支払結果の返信に使用される、請求項１８に記載のオンライン支払システム。
【請求項２３】
電子小切手システム（３００）で顧客の小切手申請要求を受信するステップと、
前記小切手申請要求に基づいて、電子小切手を生成するステップであって、前記電子小切手は、小切手番号およびパスワードを含む小切手情報パケットを有する、ステップと、
前記小切手情報パケットを前記顧客に送信するステップと、
前記小切手情報パケットをストレージ内に記憶するステップと、
オンライン支払要求を受信するステップと、
支払小切手番号および支払パスワードを解析するステップと、
前記記憶された小切手情報パケットに対して、前記支払小切手番号および前記支払パスワードを検証するステップと、
前記電子小切手を使用して支払を行うステップと、
を含む、オンライン支払方法。
【請求項２４】
前記電子小切手を使用して前記支払を行うステップは、
前記検証された電子小切手に従って顧客アカウントから金額を差し引くステップと、
支払処理結果をマーチャントシステムへ送信するステップと、
を含む、請求項２３に記載のオンライン支払方法。
【請求項２５】
前記支払が成功したかどうかを判断するステップと、
前記支払を前記顧客に通知するステップと、
をさらに含む、請求項２３に記載のオンライン支払方法。
【請求項２６】
顧客アカウントをリチャージするための顧客リチャージ要求を受信するステップと、
前記リチャージ要求に基づいて、リチャージ注文書を生成するステップと、
前記リチャージ注文書を受領書取得システムに送信するステップと、
前記リチャージ注文書の処理に成功したことを示す通知を前記受領書取得システムから受信した後に、前記顧客アカウントをリチャージするステップと、
をさらに含む、請求項２３に記載のオンライン支払方法。
【請求項２７】
前記小切手情報パケットを前記顧客に送信するステップは、前記電子小切手番号および前記小切手パスワードを前記顧客に印刷または伝送するステップを含む、請求項２３に記載のオンライン支払方法。
【請求項２８】
前記小切手情報パケットを前記顧客に送信するステップは、前記電子小切手番号および前記小切手パスワードを、前記顧客が利用できる取り外し可能なメモリ装置に書き込むステップを含む、請求項２３に記載のオンライン支払方法。
【請求項２９】
前記電子小切手番号および前記小切手パスワードを暗号化ファイル内に暗号化するステップと、
前記暗号化ファイルを前記顧客に出力するステップと、
をさらに含む、請求項２３に記載のオンライン支払方法。
【請求項３０】
前記オンライン支払要求は、マーチャントシステムを介して受信される、請求項２３に記載のオンライン支払方法。
【請求項３１】
前記オンライン支払要求は、暗号化される、請求項２３に記載のオンライン支払方法。
【請求項３２】
マーチャントシステムによるアカウントチェックを定期的に実行するステップをさらに含む、請求項２３に記載のオンライン支払方法。
【手続補正２】
【補正対象書類名】明細書
【補正対象項目名】００８９
【補正方法】変更
【補正の内容】
【００８９】
１０２０で、小切手サーバ８３０は、リチャージ要求から注文書要求を作成し、それを受領書取得システム８６０に送信する。小切手サーバ８３０は、予め定義された形式で注文書要求メッセージを作成する。注文書要求メッセージはまた、注文書要求の応答を適時に返すことができるように、電子小切手のアイデンティティ情報を含み得る。セキュリティを高めるために、小切手サーバ８３０が注文書要求を送信するたびに、最初に秘密鍵要求を受領書取得システム８６０に送信する。返信応答から公開鍵を取得した後に、小切手サーバ８３０は、注文書要求を暗号化する。